(57)【特許請求の範囲】
【請求項１】
利用者の要求する取引を処理する自動機において、
カードに備わる磁気ストライプ及びＩＣチップに記憶された情報を読み取るカード読取手段と、
前記カード読取手段により読み取った情報のうち前記磁気ストライプに記憶された情報に応じたガイダンスを表示し、且つ、取引に必要な取引情報の入力を受け付ける操作手段と、
前記磁気ストライプに記憶された情報と前記ＩＣチップに記憶された情報とが一致するか否かを判断して、一致した場合に前記操作手段により入力された取引情報に基づいて取引を処理する制御手段とを有することを特徴とする自動機。
【請求項２】
磁気ストライプ及びＩＣチップ付キャッシュカードを用いて前記ＩＣチップ内の情報にて利用者の要求する取引を行う自動機において、
前記磁気ストライプの情報を読み取る磁気読取手段と、
前記ＩＣチップの情報を読み取るＩＣ読取手段と、
利用者の操作を受け付け且つ取引に必要なガイダンスを表示する操作手段と、
前記磁気読取手段で読み取った情報からＩＣチップの有無を判定する判定手段と、
前記判定手段によってＩＣチップが有ると判定された場合、前記磁気読取手段が読み取った磁気ストライプの種類を判定して前記操作手段に当該種類ごとに異なる金額入力画面を表示すると共に、前記ＩＣ読取手段が読み取ったＩＣチップ内に記憶された磁気ストライプの種類を判定し、前記金額入力画面への入力後に前記磁気読取手段が読み取った磁気ストライプの種類と前記ＩＣ読取手段が読み取った磁気ストライプの種類とが一致することを判断してホストと送受信することを特徴とする自動機。
【発明の詳細な説明】
【０００１】
【発明の属する技術分野】
本発明は、媒体のデータを読み取る自動機に関し、特に、金融機関等に設置され、利用者が所有するＭＳ付きのＩＣカードを処理する自動機に関する。
【０００２】
【従来の技術】
金融機関等に設置された自動機（現金自動取引装置（ＡＴＭ）、自動支払専用機（ＣＤ）等）は、利用者の所有するキャッシュカードにて利用者の要求する取引、例えば、現金の預入取引、支払取引等を行なうが、キャッシュカードには磁気ストライプ（ＭＳ）が貼付されており、そのＭＳを読み取る磁気読取手段でＭＳ情報を読み取り、口座や暗証番号のチェックが行なわれていた。
【０００３】
また、最近ではキャッシュカードにＩＣチップを貼付して情報量を多くすることで、セキュリティを高め、ＭＳよりも広範な取引を自動機にて実現する提案もなされている。
【０００４】
【発明が解決しようとする課題】
ＭＳ付キャッシュカードからＩＣ付キャッシュカードに一度に全国規模で移行するとともに、自動機にてＩＣ情報を読み取れるＩＣ読取手段を搭載すれば上述の提案も実現可能となるが、実際には、現在在る資源を一度に変更するのは不可能であるため、その折衷案としてキャッシュカードにＭＳとＩＣとを付加することも考えられている。これによれば、ＭＳ読取手段が搭載された従来の自動機にＩＣ読取手段を搭載することで実現可能となる。
【０００５】
しかしながら、ＭＳ及びＩＣの両方の情報を読み取る手段を自動機に搭載すると、その読み取りと利用者の操作とをどのような仕様にしなければならないかを考慮する必要があり、また、特にＩＣ読取手段が接触式の場合にはＩＣ読取手段の起動時間、ＩＣに到達するまでの時間、ＩＣを読み取る時間等がかかるため、従来のＭＳのみの処理に比較して時間がかかり、よって、利用者の取引時間が長くなる、又は自動機の処理を待つ必要があるとの問題がある。
【０００６】
本発明の目的は、上述の問題を解決すると共に、利用者の操作性向上、処理速度向上を図った自動機を提供することにある。
【０００７】
【課題を解決するための手段】
利用者がＩＣカードを用い取引を行った場合、本来はＩＣ内ＭＳの読み出しを行い、その後読み出したデータを用い、金額入力画面の切分け等を行なわなければならないところ、先にリードしているＭＳを用い金額入力画面等の切分けを行なう処理と、データ読み出し処理を金額入力等の操作と並行させる処理を付加することにより達成可能である。
【０００８】
上記処理の他、ＩＣチップ内のデータ読み出し終了後にＩＣ内ＭＳと先にリードしているＭＳの一致チェックを行なう処理を付加することにより達成可能である。
【０００９】
【発明の実施の形態】
本発明の実施の形態について、図面を用いて詳細に説明する。
【００１０】
図１は銀行、または郵便局内設置されている自動機（例：現金自動取引装置。以下、ＡＴＭとする）１０１と、上位局のホストコンピュータ１１０を示す。ＡＴＭ１０１とホストコンピュータ１１０は回線で接続されており取引情報に関するメッセージの交信を行なう。
【００１１】
次にＡＴＭ１０１とホストコンピュータ１０４の内部構成を示す。ＡＴＭ１０１は、顧客操作部１０２、係員操作部１０３、ＡＴＭ本体制御部１０４、ＡＴＭプログラム１０５、磁気カード制御部１０６、ホスト送受信制御部１０７、現金制御部１０８、イメージ読取印字制御部１０９などで構成され、顧客操作部１０２と係員操作部１０３と磁気カード制御部１０６とホスト送受信制御部１０７と現金制御部１０８とイメージ読取印字制御部１０９は内部インタフェースで接続されている。更に、ＡＴＭ本体制御部１０４にはＡＴＭプログラム１０５が組込まれている。
【００１２】
各部の機能を以下に説明する。
【００１３】
顧客操作部１０２は、画面表示／キー入力／音声ガイダンス出力機能をもっており、主にＡＴＭ１０１の利用者が取引を行なう際、取引操作の誘導画面を表示する機能や、暗証番号などのキー入力を行なう部分である。また、音声ガイダンス鳴動機能は、利用者にキー入力などの操作を促す時などに使用する。係員操作部１０３は、画面表示とキー入力の機能をもっており、主に係員が現金の装填や回収等ＡＴＭを運用するために必要な処理を実施する時のキー操作と、その動作結果などが画面に表示される。
【００１４】
磁気カード制御部１０６は、利用者のカードのリード／ライトを制御する部分である。ホスト送受信制御部１０７は、ホストコンピュータ１１０との取引電文などの回線制御を行なう部分である。現金制御部１０８は、現金の入金や出金を制御する部分である。イメージ読取印字制御部１０９は、公金・手形・小切手の認識／リード／ライトなどを制御する部分である。ＡＴＭ本体制御部１０４は、ＡＴＭプログラム１０５の指示により各操作部および制御部をコントロールする。
【００１５】
ホストコンピュータ１１０は、ホストプログラム１１１と利用者口座情報記憶部１１４から構成される。ホストプログラム１１１内にはホスト業務処理部１１２とデータ処理部１１３が組込まれ、データ処理部１１３はホスト業務処理部１１２により制御される。更に、データ処理部１１３は利用者口座情報記憶部１１４と接続されている。利用者口座情報記憶部１１４には利用者情報データベース１１５が格納されている。
【００１６】
そしてホストコンピュータ１１０は、ＡＴＭ１０１から取引要求電文を受信するとホストプログラム１１１を制御し、ホストプログラム１１１から取引結果が報告されると、ＡＴＭ１０１に対して取引回答電文を送信する。ホストプログラム１１１は、ホスト業務処理部１１２とデータ処理部１１３により取引業務を処理する。ホスト業務処理部１１２は取引に関する全ての処理を実行／コントロールする。データ処理部１１３は、利用者口座情報記憶部１１４の利用者情報データベース１１５データのリード／ライト制御を行いデータ参照や更新する。
【００１７】
図２はＡＴＭ１０１の無帳支払取引処理フローの一例を示し、図１を使用して説明する。
【００１８】
利用者がＡＴＭ１０１の顧客操作部１０２で取引を選択する（ステップ２０１）。利用者が誘導画面に従い磁気カード制御部１０６に磁気カードを挿入すると（ステップ２０２）、ＡＴＭ１０１は磁気カードを受け付け磁気ストライプリードとエンボスリードを行なう。そして、誘導画面に従い顧客操作部１０２から暗証番号を入力すると（ステップ２０３）、ＡＴＭ１０１は磁気ストライプのチェックを行い（ステップ２０４）、ＩＣチップが存在するカードか否かの判定を行なう（ステップ２０５）。ＡＴＭ１０１がＩＣチップ付きカードと認識すると、エンボスリードの終了待ちを行い、ＩＣチップに対しＩＣアプリケーション選択（ステップ２０６）、ＩＣアプリケーション読み出し（ステップ２０７）、ＩＣ口座選択を行なう（ステップ２０８）。ステップ２０７のＩＣアプリケーション読み出しで読み取ったＩＣ内磁気ストライプデータをチェック後（ステップ２０９）、ＩＣ内ＭＳの種類を判定し（ステップ２１０）、金額入力画面を表示し（ステップ２１１／２１３／２１５）、金額入力やチェック／確認を行なう（ステップ２１２／２１４／２１６）。その後、ホストへの送信を行なう（ステップ２１７）。ホストから応答電文を受信すると（ステップ２１８）、媒体放出後（ステップ２１９）、取引が終了する。
【００１９】
図３は本発明の処理方式の一例であるＡＴＭ１０１の無帳支払取引処理フローを示し、図１を使用して説明する。
【００２０】
利用者がＡＴＭ１０１の顧客操作部１０２で取引を選択（ステップ３０１）する。利用者が誘導画面に従い磁気カード制御部１０６に磁気カードを挿入すると（ステップ３０２）、ＡＴＭ１０１は磁気カードを受け付け磁気ストライプリードとエンボスリードを行なう。それと並行し、誘導画面に従い顧客操作部１０２から暗証番号を入力すると（ステップ３０３）、ＡＴＭ１０１は磁気ストライプのチェックを行い（ステップ３０４）、ＩＣチップが存在するカードか否かの判定を行なう（ステップ３０５）。
【００２１】
ここでＡＴＭ（１０１）がＩＣチップ付きカードと認識すると、エンボスリードの終了待ちを行い、ＩＣチップに対しＩＣアプリケーション選択を行なう（ステップ３０６）。磁気ストライプリードにて読み取ったＭＳの種類を判定し（ステップ３０７）、金額入力画面を表示し（ステップ３０８／３１０／３１２）、金額入力やチェック／確認を行なう（ステップ３０９／３１１／３１３）。ＡＴＭ１０１はこれらの金額入力処理と並行し、ＩＣアプリケーション読み出しを行なう（ステップ３１４）。金額入力処理が終了すると、ＩＣ口座選択（ステップ３１５）、磁気ストライプリードにて読み取ったＭＳと、ステップ３１４のＩＣアプリケーション読み出しで読み取ったＩＣ内磁気ストライプデータを一致チェックし（ステップ３１６）、磁気ストライプで判定を行ってきた処理（ステップ３０７〜３１３）の妥当性を検証する。その後ＩＣ内磁気ストライプデータのチェックを行なう（ステップ３１７）。チェックが正常であれば、ホストへの送信を行なう（ステップ３１８）。ホストから応答電文を受信すると（ステップ３１９）、媒体放出後（ステップ３２０）、取引が終了する。
【００２２】
図４は図２で説明した取引フローの利用者画面遷移を示す。
【００２３】
利用者は取引を選択すると（ステップ４０１）、カード挿入（ステップ４０２）、暗証入力を行なう（ステップ４０３）。その後ＩＣチップへのコマンドを発行している間、利用者は何も操作できず、待っていなければならない（ステップ４０４）。ＩＣチップへのコマンド発行が終了すると、金額入力を行い（ステップ４０５）、ホストへの送受信（ステップ４０６）、媒体受取り（ステップ４０７）後取引を終了する。
【００２４】
図５は図３で説明した本発明取引フローの利用者画面遷移を示す。
【００２５】
利用者は取引を選択すると（ステップ５０１）、カード挿入（ステップ５０２）、暗証入力（ステップ５０３）を行なう。その後ＩＣチップへのＩＣアプリケーションコマンドを発行し（ステップ５０４）、金額入力（ステップ５０５）とＩＣアプリケーション読み出し（ステップ５０６）を並行して実施する。金額入力操作（ステップ５０５）とＩＣアプリケーション読み出し（ステップ５０６）が終了すると、ＩＣ口座選択とＩＣ内ＭＳのカードチェック（ステップ５０７）を行い、ホストへの送受信（ステップ５０８）、媒体受取り（ステップ５０９）後取引を終了する。
【００２６】
図４と図５を比較すると、図５の取引フローでは利用者の待ち時間が図４の取引フローに比べ大幅に減少している事が分かる。取引時間も大幅に低減できており、処理速度向上を図る事が可能となる。
【００２７】
【発明の効果】
本発明により、セキュリティを高めたＩＣ取引を実現でき、また、利用者の操作性向上、処理速度向上を図ることが可能になる。
【図面の簡単な説明】
【図１】ＡＴＭで取引を行なう際の全体構成を示す。
【図２】ＡＴＭの第１取引処理フローを示す。
【図３】ＡＴＭの第２取引処理フローを示す。
【図４】ＡＴＭの第１取引と利用者操作との遷移フローを示す。
【図５】ＡＴＭの第２取引と利用者操作との遷移フローを示す。
【符号の説明】
１０１・・・現金自動取引装置（ＡＴＭ）、１０２・・・顧客操作部、１０３・・・係員操作部、１０４・・・ＡＴＭ本体制御部、１０５・・・ＡＴＭプログラム、１０６・・・磁気カード制御部、１０７・・・ホスト送受信制御部、１０８・・・現金制御部、１０９・・・イメージ読取印字制御部、１１０・・・ホストコンピュータ、１１１・・・ホストプログラム、１１２・・・ホスト業務処理部、１１３・・・データ処理部、１１４・・・顧客口座情報記憶部、１１５・・・顧客情報データベース
【図１】
0003914801.tif 000002
【図２】
0003914801.tif 000003
【図３】
0003914801.tif 000004
【図４】
0003914801.tif 000005
【図５】
0003914801.tif 000006